(57)【要約】【課題】浅い水深での潜水作業だけで据付け作業が簡単かつ安全に行えるとともに、大規模な機材も不要となる空気揚水装置を提供する。【解決手段】水底１に着地するシンカー２の係留ワイヤー３が下部に係止されるとともに、自立用フロート４が上部に取付けられた揚水筒５を備えた空気揚水装置であって、揚水筒５の上端部に、揚水筒５の上開口５ａを閉塞可能な蓋１５が着脱可能に取付けられるとともに、この蓋１５に、揚水筒５内の空気を排出可能なバルブ１６が取付けられて、揚水筒５に取付けた蓋１５で、揚水筒５自体に浮力を持たせ、この浮力で空気揚水装置全体を据付けポイントまで曳航し、蓋１５のバルブ１６を開いて揚水筒５内の空気を徐々に排出することで、シンカー２をゆっくりと水底１に着地させ、その後、揚水筒５から蓋１５を取り外す。【選択図】図１
0003141735.tif 000002
【実用新案登録請求の範囲】
【請求項１】
水底に着地するシンカーの係留ワイヤーが下部に係止されるとともに、自立用フロートが上部に取付けられた揚水筒を備えた空気揚水装置であって、
前記揚水筒の上端部に、揚水筒の上開口を閉塞可能な蓋が着脱可能に取付けられるとともに、この蓋若しくは揚水筒の上端部付近の側壁に、揚水筒内の空気を排出可能なバルブが取付けられていることを特徴とする空気揚水装置。
【考案の詳細な説明】
【技術分野】
【０００１】
本考案は、空気揚水装置に関する。
【背景技術】
【０００２】
従来、図３に示すように、水底１に着地するシンカー２の係留ワイヤー３が下部に係止されるとともに、自立用フロート４が上部に取付けられた揚水筒５を備えた空気揚水装置がある（特許文献１参照）。
【０００３】
この空気揚水装置は、図３（ｂ）を参照すれば、通常、水深Ｄが４０ｍ程度の水底１にシンカー２を着地させて、揚水筒５から空気を放出することで、下層水を水深２０ｍ程度の上層に揚水することで、ダム湖等の水質浄化を行うものである。なお、自立用フロート４は、揚水筒５を自立させる程度の浮力である。
【０００４】
このような空気揚水装置をダム湖等の水底１に据付ける方法としては、図３（ａ）のように、シンカー２にロープ６で大型フロート７を連結し、この大型フロート７の浮力を利用して空気揚水装置全体を据付けポイントまで曳航し、図３（ｂ）のように、大型フロート７の空気を抜きながらシンカー２を水底１の着地させた後、潜水夫が水深４０ｍ程度まで潜り、空気が抜かれた大型フロート７のロープ６の係止部６ａをシンカー２から取り外すようにしていた。
【特許文献１】特開平１０−１６５９８８号公報
【考案の開示】
【考案が解決しようとする課題】
【０００５】
しかしながら、深い水深（例えば、水深４０ｍ程度）での潜水作業が必要であることから、据付け作業が困難であるとともに、大型のフロート７や長いロープ６等の大規模な機材も必要であるという問題があった。
【０００６】
本考案は、前記問題を解消するためになされたもので、浅い水深での潜水作業だけで据付け作業が簡単かつ安全に行えるとともに、大規模な機材も不要となる空気揚水装置を提供することを目的とするものである。
【課題を解決するための手段】
【０００７】
前記課題を解決するために、本考案は、水底に着地するシンカーの係留ワイヤーが下部に係止されるとともに、自立用フロートが上部に取付けられた揚水筒を備えた空気揚水装置であって、前記揚水筒の上端部に、揚水筒の上開口を閉塞可能な蓋が着脱可能に取付けられるとともに、この蓋若しくは揚水筒の上端部付近の側壁に、揚水筒内の空気を排出可能なバルブが取付けられていることを特徴とする空気揚水装置を提供するものである。
【考案の効果】
【０００８】
本考案によれば、揚水筒の上端部に、揚水筒の上開口を閉塞可能な蓋を取付けることで、揚水筒自体に大きな浮力を持たせ、この浮力を利用して空気揚水装置全体を据付けポイントまで曳航して、蓋のバルブを開いて揚水筒内の空気を徐々に排出することで、シンカーがゆっくりと水底に着地するようになり、その後、潜水夫が揚水筒の蓋が位置する水深２０ｍ程度まで潜って、揚水筒から蓋を取り外せば、据付け作業が完了する。
【０００９】
このように、浅い水深（例えば水深２０ｍ程度）での潜水作業だけで据付け作業が簡単かつ安全に行えるとともに、揚水筒にバルブ付きの蓋を取付けるだけであるので、大規模な機材も不要となる。
【００１０】
さらに、大型フロート（バルーン）等の準備が不要となることで、大型フロートを膨らませるための機材及び人工の減少によるコスト低減及び工期の短縮が可能となる。
【考案を実施するための最良の形態】
【００１１】
以下、本考案を実施するための最良の形態について、図面を参照しながら詳細に説明する。なお、背景技術と同一構成・作用の箇所は、同一番号を付して詳細な説明を省略する。
【００１２】
図２（ａ）は、空気揚水装置の原理を示す側面断面図であり、揚水筒５の外周囲に、下端が閉塞され上端が開放された内側空気室８と、下端が開放され上端が閉塞された外側空気室９とが設けられ、内側空気室８の内壁部分の潜り堰状部１０を介して揚水筒５内に連通する連通路１１が形成されて、図２（ｂ）〜（ｄ）のように、空気供給口１２から供給された空気ａで外側空気室９と内側空気室８の内部に流入した水を押し下げながら、潜り堰状部１０から連通路１１を介して揚水筒５の上開口５ａから空気塊（若しくは気泡弾）ｂとして一気に放出することで、水深４０ｍ程度の下層水ｃを水深２０ｍ程度の上層に揚水するようになる。
【００１３】
図１（ａ）（ｂ）は、それぞれ本考案の実施形態の空気揚水装置の側面断面図であり、図１（ａ）のように、空気揚水装置全体を据付けポイントまで曳航するまでの間は、揚水筒５の上端部に、揚水筒５の上開口５ａを気密に閉塞可能な蓋１５がボルト・ナット等で着脱可能に取付けられている。この蓋１５には、揚水筒５内の空気を排出可能なバルブ（開閉弁）１６が取付けられている。
【００１４】
このように、揚水筒５の上端部に、揚水筒５の上開口を閉塞可能な蓋１５を取付けることで、揚水筒５自体が大型のフロートと化して、シンカー２を浮かす程の大きな浮力を持つようになる。
【００１５】
そして、図１（ａ）のように、この浮力を利用して空気揚水装置全体を据付けポイントまで曳航して、蓋１５のバルブ１６を開いて揚水筒５内の空気を徐々に排出することで、図１（ｂ）のように、シンカー２がゆっくりと沈みながら水底１に着地するようになる。なお、蓋１５のバルブ１６は、水上に出ていれば手で開き操作できるが、水中に沈んでいれば、紐等を利用して開き操作することができる。このバルブ１６の開き量の調整で、空気揚水装置の沈降速度を任意に加減することができる。
【００１６】
その後、潜水夫が揚水筒５の蓋１５が位置する水深Ｄ´まで潜って、揚水筒５からバルブ１６とともに蓋１５を取り外せば、据付け作業が完了する。この蓋１５を揚水筒５の上端部から完全に取り外すことで、空気塊ｂの放出に支障が生じなくなる。
【００１７】
このように、浅い水深Ｄ´（例えば水深２０ｍ程度）での潜水作業だけで据付け作業が簡単かつ安全に行えるとともに、揚水筒５にバルブ１６付きの蓋１５を取付けるだけであるので、大規模な機材も不要となる。
【００１８】
前記実施形態は、蓋１５にバルブ１６を取付けたが、揚水筒５の上端部付近の側壁にバルブ１６を取付けても同様の作用効果を得ることができる。
【図面の簡単な説明】
【００１９】
【図１】本考案の実施形態の空気揚水装置の据付け方法であり、（ａ）は曳航中の側面断面図、（ｂ）はシンカーが着地した状態の側面断面図である。
【図２】空気揚水装置であり、（ａ）は側面断面図、（ｂ）〜（ｄ）は、空気が空気塊として放出される過程の分解図である。
【図３】従来の空気揚水装置の据付け方法であり、（ａ）は曳航中の側面断面図、（ｂ）はシンカーが着地した状態の側面断面図である。
【符号の説明】
【００２０】
１    水底
２    シンカー
３    係留ワイヤー
４    自立用フロート
５    揚水筒
５ａ  上開口
１５  蓋
１６  バルブ
【図１】
0003141735.tif 000003
【図２】
0003141735.tif 000004
【図３】
0003141735.tif 000005